(57)【特許請求の範囲】
【請求項１】
収容空間を有するハウジングと、
上記収容空間内に設置され、イヤホンアセンブリとイヤホン線とを有するイヤホンと、  上記イヤホンと端末機器との接続及び信号伝送に用いられる接続装置と、
上記収容空間内に設置され、上記イヤホン線の回収又は釈放に用いられるイヤホン線引き込み装置とを有し、
上記イヤホンアセンブリは、親イヤホンアセンブリ、子イヤホンアセンブリ及びイヤホンロッドを有し、上記親イヤホンアセンブリと子イヤホンアセンブリはいずれも上記イヤホンロッドに設置されており、イヤホンロッドには、イヤホン線回収用の電源スイッチが更に設置されていることを特徴とする伸縮可能な内蔵式イヤホン構造。
【請求項２】
上記ハウジングは、硬性材質の底板及び軟性材質の側壁と上縁を有し、上記底板、上記側壁及び上記上縁は、一体に結合されていることを特徴とする請求項１に記載の伸縮可能な内蔵式イヤホン構造。
【請求項３】
上記イヤホン線を巻き付けるための線巻き付け装置を更に有し、上記線巻き付け装置は複数のローラと上記複数のローラに設置されているベルトループとを有することを特徴とする請求項１に記載の伸縮可能な内蔵式イヤホン構造。
【請求項４】
上記伸縮可能な内蔵式イヤホン構造は、上記収容空間内に設置され、上記イヤホン線引き込み装置に電気エネルギーを提供するための電池を更に有し、
上記複数のローラは、上記電池の側辺に設置されていることを特徴とする請求項３に記載の伸縮可能な内蔵式イヤホン構造。
【請求項５】
上記伸縮可能な内蔵式イヤホン構造は、上記接続装置としてのチッププロセッサを更に有し、
上記チッププロセッサは、導線を介して上記電池に接続し、上記電池の充放電を制御することを特徴とする請求項４に記載の伸縮可能な内蔵式イヤホン構造。
【請求項６】
上記ハウジングには充電ソケットが設置されており、上記チッププロセッサは導線を介して上記充電ソケットに接続し、
上記伸縮可能な内蔵式イヤホン構造は、変換プラグを更に有し、上記変換プラグは、一端が上記チッププロセッサに接続し、他端が応用される端末機器と接続可能であり、
上記チッププロセッサによって、電池と応用される端末機器の電池が電源を共用し、及び／又は、上記充電ソケットを共用することを特徴とする請求項５に記載の伸縮可能な内蔵式イヤホン構造。
【請求項７】
上記変換プラグは、導線及び両端の二つのプラグを有し、一端のプラグは、上記チッププロセッサに挿入されており、他端のプラグは、応用される端末機器に挿入されており、上記チッププロセッサによって、上記伸縮可能な内蔵式イヤホン構造と応用される端末機器とが連通することを特徴とする請求項６に記載の伸縮可能な内蔵式イヤホン構造。
【請求項８】
上記伸縮可能な内蔵式イヤホン構造は、規格の異なる上記変換プラグが複数配置されていることを特徴とする請求項７に記載の伸縮可能な内蔵式イヤホン構造。
【請求項９】
上記イヤホン線引き込み装置は、駆動装置、上記イヤホン線を巻き付けるためのリール、変速装置、クラッチ、上記イヤホン線と接続する信号連通装置及び引き出された信号線を有し、これらをケースで被覆し、一つのモジュールとして形成されていることを特徴とする請求項８に記載の伸縮可能な内蔵式イヤホン構造。
【請求項１０】
上記イヤホン線引き込み装置の上記駆動装置は、上記変速器を回転させ、上記クラッチと上記リールとの噛合い又は離脱によって上記リールを回転させイヤホン線の回収又は釈放を行なうことを特徴とする請求項９に記載の伸縮可能な内蔵式イヤホン構造。
【請求項１１】
上記電池は、導線を介して上記イヤホン線引き込み装置の上記駆動装置と接続することを特徴とする請求項１０に記載の伸縮可能な内蔵式イヤホン構造。
【請求項１２】
上記イヤホン線引き込み装置は、イヤホン線の規則正しい巻き付けを行うような線押さえ板を更に有することを特徴とする請求項１１に記載の伸縮可能な内蔵式イヤホン構造。
【請求項１３】
上記イヤホン線は、防弾ファイバー、絶縁導電ワイヤ、イヤホン線外皮及び複数の導電体を有し、上記導電体は、複数の絶縁導電ワイヤからなり、
上記絶縁導電ワイヤは、平行に配列し、上記防弾ファイバーに螺旋状に巻き付けられ、上記イヤホン線外皮は、上記絶縁導電ワイヤの表面に付着して被覆し、極めて薄く、柔らかく、且つ耐磨耗性のある外皮を形成し、
上記導電体は、上記イヤホン線の両端部に位置しており、使用時にそれぞれ上記イヤホン線引き込み装置の信号連通装置とイヤホンの出力端子と入力端子に接続されることを特徴とする請求項１に記載の伸縮可能な内蔵式イヤホン構造。
【請求項１４】
上記イヤホンは、
取付面を有するイヤホンロッドと、
第１接続部と、
上記第１接続部を介して、上記取付面に対する高さが可変となるように上記イヤホンロッドに接続する親イヤホンアセンブリとを有することを特徴とする請求項１に記載の伸縮可能な内蔵式イヤホン構造。
【請求項１５】
上記第１接続部は弾性片であり、上記弾性片の一端は上記取付面に固定接続されており、上記親イヤホンアセンブリの底部は、上記弾性片の他端に固定接続していることを特徴とする請求項１４に記載の伸縮可能な内蔵式イヤホン構造。
【請求項１６】
上記伸縮可能な内蔵式イヤホン構造は、第２接続部を有する子イヤホンアセンブリを更に有し、
上記イヤホンロッドには収納部を有し、
上記子イヤホンアセンブリは、上記第２接続部と上記収納部を介して上記イヤホンロッドと着脱可能に接続することを特徴とする請求項１４又は１５に記載の伸縮可能な内蔵式イヤホン構造。
【請求項１７】
上記親イヤホンアセンブリ及び子イヤホンアセンブリと接続するダブルイヤホン線は、継ぎ手を介してシングルイヤホン線に変換され、上記継ぎ手には送話器が設置されていることを特徴とする請求項１６に記載の伸縮可能な内蔵式イヤホン構造。
【請求項１８】
上記伸縮可能な内蔵式イヤホン構造は、上記イヤホンロッドに周回して形成し、上記子イヤホンアセンブリと接続する第２イヤホン線を巻き付けるための周回線掛け溝を更に有することを特徴とする請求項１６に記載の伸縮可能な内蔵式イヤホン構造。
【請求項１９】
機器本体と、
請求項１ないし１８のいずれか一項に記載の伸縮可能な内蔵式イヤホン構造とを有し、  上記機器本体は、上記伸縮可能な内蔵式イヤホン構造内の接続装置を介して、イヤホンと機器本体との接続及び信号伝送を実現することを特徴とする端末機器。
【請求項２０】
上記端末機器は、携帯電話、タブレット型パソコン、ノード型パソコン、デスクトップ型パソコン、テレビ、ハンドヘルドコンピュータ、電話機、個人用視聴覚機器、デジタルプレーヤー、ナビゲーション装置、ゲーム機のうちのいずれか一つであることを特徴とする請求項１９に記載の端末機器。
【請求項２１】
親イヤホンアセンブリと子イヤホンアセンブリとを有し、
上記親イヤホンアセンブリは、親イヤホンレシーバーを有し、更に子イヤホン線を巻き取るための第１イヤホン線引き込み装置を有し、
上記子イヤホンアセンブリは、子イヤホンレシーバーを有し、
上記親イヤホンレシーバーは、親イヤホン線と接続し、上記子イヤホン線の一端は、第１信号接続手段を介して上記親イヤホン線と接続し、上記子イヤホン線の他端は上記子イヤホンレシーバーと接続され、
上記親イヤホンアセンブリと子イヤホンアセンブリはいずれもイヤホンロッドに設置されており、イヤホンロッドには、イヤホン線回収用の電源スイッチが更に設置されていることを特徴とする伸縮可能な内蔵式イヤホン構造。
【請求項２２】
上記親イヤホンアセンブリは、親イヤホンフロントカバーと親イヤホンリアカバーを更に有し、上記親イヤホンレシーバーは、上記親イヤホンフロントカバーと上記親イヤホンリアカバーとの間に設置されており、上記第１イヤホン線引き込み装置は、上記親イヤホンレシーバーと上記親イヤホンリアカバーとの間に設置されており、
上記子イヤホンアセンブリは、子イヤホンフロントカバーと子イヤホンリアカバーを更に有し、上記子イヤホンレシーバーは、上記子イヤホンフロントカバーと上記子イヤホンリアカバーとの間に設置されていることを特徴とする請求項２１に記載の伸縮可能な内蔵式イヤホン構造。
【請求項２３】
上記親イヤホンアセンブリは、上記親イヤホンリアカバーに設置されたイヤホンロッドを更に有し、
上記子イヤホンアセンブリは、バックルを介して上記イヤホンロッドに係り止められることを特徴とする請求項２２に記載の伸縮可能な内蔵式イヤホン構造。
【請求項２４】
上記伸縮可能な内蔵式イヤホン構造は、上記イヤホンロッドに設置され、上記親イヤホン線と接続する送話器を更に有することを特徴とする請求項２３に記載の伸縮可能な内蔵式イヤホン構造。
【請求項２５】
上記第１イヤホン線引き込み装置は、主軸に設置されているリールを有し、上記リールにはリング状縁が設置されており、上記リング状縁の内部にトーションバネが設置されており、
上記トーションバネは、外端が上記リング状縁に固定されるとともに、内端が上記主軸に固定されており、上記リールを回転させて上記子イヤホン線を巻き取り、
上記リールに巻き取られた子イヤホン線は、上記第１信号接続手段を介して上記親イヤホン線と接続することを特徴とする請求項２１ないし２３のいずれか一項に記載の伸縮可能な内蔵式イヤホン構造。
【請求項２６】
上記第１イヤホン線引き込み装置には、上記リールの回転を制御するためのブレーキ装置が更に設置されていることを特徴とする請求項２５に記載の伸縮可能な内蔵式イヤホン構造。
【請求項２７】
上記伸縮可能な内蔵式イヤホン構造は、第２イヤホン線引き込み装置を更に有し、
上記第２イヤホン線引き込み装置は、駆動力を提供するモータを有し、上記モータは、主軸に設置されたリールを、変速装置を介して駆動し、上記リールに巻き取られた親イヤホン線は、第２信号接続手段を介して外部信号と接続することを特徴とする請求項２６に記載の伸縮可能な内蔵式イヤホン構造。
【請求項２８】
上記変速装置は、
上記モータの駆動軸と接続するウォームと、
二段歯車であり、その一段が上記ウォームと垂直に噛合う第１歯車と、
上記リールと同一主軸に設置され、上記第１歯車の他段と噛合い、上記リールを駆動して上記親イヤホン線を巻き取る第２歯車とを有し、
上記変速装置は、変速比に応じて、複数の多段歯車からなることも可能であることを特徴とする請求項２７に記載の伸縮可能な内蔵式イヤホン構造。
【請求項２９】
上記第２イヤホン線引き込み装置は、ケースを更に有し、上記ケースは、上ケースとベースとを有し、上記ケースの側壁には開口が設置されており、上記開口には滑車を有し、上記滑車は、滑車軸を介して上記ベースに設置されており、上記親イヤホン線は、上記滑車を介して上記ケースから伸び出すことを特徴とする請求項２８に記載の伸縮可能な内蔵式イヤホン構造。
【請求項３０】
上記第２イヤホン線引き込み装置は、上記モータと上記リールとの間に設置されているクラッチ装置を更に有し、上記クラッチ装置によって、上記モータと上記リールとの噛合い又は離脱を実現することを特徴とする請求項２９に記載の伸縮可能な内蔵式イヤホン構造。
【請求項３１】
上記クラッチ装置は、上記主軸に設置されている圧縮バネを有し、上記圧縮バネは、一端が上記ベースの底面に接触し、他端が上記第２歯車に接触し、圧縮バネと変速装置及びリール間の力の差によって結合と分離の目的を実現することを特徴とする請求項３０に記載の伸縮可能な内蔵式イヤホン構造。
【請求項３２】
上記第２信号接続手段は、回路基板を有し、上記回路基板には複数本のリング状の導電薄片が設けられており、上記導電薄片は上記親イヤホン線と接続し、上記導電薄片はバネピンとピンリード線を介して外部信号と接続し、上記バネピンは上記導電薄片と連通することを特徴とする請求項３１に記載の伸縮可能な内蔵式イヤホン構造。
【請求項３３】
上記伸縮可能な内蔵式イヤホン構造は、第２イヤホン線引き込み装置を更に有し、
上記第２イヤホン線引き込み装置は、
駆動系と、
上記駆動系の一方に設けられ、上記駆動系で駆動される駆動ホイールと、
上記駆動系の他方に設けられた支持ホイールと、
上記駆動ホイールと上記支持ホイールを周回し、上記親イヤホン線を巻き付けるための線巻き付けループとを備え、
上記線巻き付けループに巻き付けられた上記親イヤホン線は、第２信号接続手段を介して外部信号と接続し、上記駆動ホイールは、上記線巻き付けループを介して上記支持ホイールを回転させ、上記親イヤホン線を上記線巻き付けループに巻き付けて引き込むことを特徴とする請求項２６に記載の伸縮可能な内蔵式イヤホン構造。
【請求項３４】
上記第２イヤホン線引き込み装置は、上記駆動系と上記駆動ホイールとの間に設けられるクラッチ装置を更に備え、
上記駆動系は上記クラッチ装置を介して上記駆動ホイールを駆動し、上記親イヤホン線の巻き出しによって上記駆動ホイールが自転するとき又は線引き込みが終了した時に、上記クラッチ装置が上記駆動系と上記駆動ホイールを分離させることを特徴とする請求項３３に記載の伸縮可能な内蔵式イヤホン構造。
【請求項３５】
上記駆動系は、マイクロモータであり、上記クラッチ装置は、円錐台型歯車であることを特徴とする請求項３４に記載の伸縮可能な内蔵式イヤホン構造。
【請求項３６】
上記駆動ホイールは、第１円状側片と第２円状側片とを有し、上記第１円状側片と上記第２円状側片とは主軸で連結され、上記第１円状側片の内側面には、上記主軸を周回して円周状の排列となる複数の歯車が設けられ、
上記マイクロモータは、上記マイクロモータの主軸に設けられた歯車を介して上記円錐台型歯車と噛み合うか上記円錐台型歯車から分離することを特徴とする請求項３５に記載の伸縮可能な内蔵式イヤホン構造。
【請求項３７】
上記線巻き付けループには、複数のＵ型線掛け溝からなるリング状線巻き付け溝が設けられ、上記親イヤホン線は引き込まれるときに上記リング状線巻き付け溝内に巻き取られることを特徴とする請求項３６に記載の伸縮可能な内蔵式イヤホン構造。
【請求項３８】
上記伸縮可能な内蔵式イヤホン構造は、長楕円状のケースを更に備え、該ケースの側壁には開口が設置されており、上記親イヤホン線は、上記開口を通して上記ケースから伸び出すことを特徴とする請求項３７に記載の伸縮可能な内蔵式イヤホン構造。
【請求項３９】
上記第２信号接続手段は、
上記Ｕ型線掛け溝の外側に設けられ、上記親イヤホン線と接続する複数の信号連通弾性片と、
リング状の導電金属薄片からなり、信号線を介して外部端末のマザーボード信号と接続する信号連通トラックであって、上記ケースの内壁に設けられ、上記信号連通弾性片と接触して連通可能な複数の信号連通トラックと、
を有することを特徴とする請求項３８に記載の伸縮可能な内蔵式イヤホン構造。
【請求項４０】
上記支持ホイールは、半円周の配列となる複数のボール又はローラーであることを特徴とする請求項３９に記載の伸縮可能な内蔵式イヤホン構造。
【請求項４１】
機器本体と、
請求項２１ないし４０のいずれか一項に記載の伸縮可能な内蔵式イヤホン構造とを有し、
上記機器本体は、上記伸縮可能な内蔵式イヤホン構造内の接続装置を介して、イヤホンと機器本体との接続及び信号伝送を実現することを特徴とする端末機器。
【発明の詳細な説明】
【技術分野】
【０００１】
本発明は、イヤホン線引き込み構造に係り、特に伸縮可能な内蔵式イヤホン構造及び端末機器に関する。
【背景技術】
【０００２】
電子製品、とくに携帯電話、ノート型パソコン、補聴機能付き移動端末の応用がますます普及し、上記端末製品の従来のイヤホンは、使用時に絡んだり、結び目ができたりすることがよくあり、携帯と保存が不便であり、多数の使用者に多くの不便をもたらし、その結果、多数の使用者がイヤホンという重要な機能の使用を諦めることになっている。
【０００３】
また、電子製品を直接に使用するとき、電子製品（携帯電話など）から生じる電磁放射による使用者への健康と安全上の大きな潜在的危険を回避できない。例えば、携帯電話を直接耳に当てて、そのスピーカを利用して通話するときに、携帯電話による電磁放射が直接人体の大脳の中枢神経に危害を与えることになる。
【０００４】
実験と研究から、携帯電話が人体の大脳から一定距離を維持すると、電磁放射による危害を効果的に低減できることがわかった。たとえば、携帯電話の内蔵スピーカの代わりに、携帯電話のイヤホンを利用して音声情報を聴取することによって、携帯電話の電磁波による人体の大脳への影響を９０％以上低減できる。
【発明の概要】
【発明が解決しようとする課題】
【０００５】
本発明は、伸縮可能な内蔵式イヤホン構造及び端末機器を提供して、端末機器の電磁放射による危害を効果的に低減することを目的としている。
【課題を解決するための手段】
【０００６】
上記目的を達成するために、本発明は、伸縮可能な内蔵式イヤホン構造を提供する。
該伸縮可能な内蔵式イヤホン構造は、収容空間を有するハウジングと、上記収容空間内に設置され、イヤホンアセンブリとイヤホン線とを有するイヤホンと、上記イヤホンと端末機器との接続及び信号伝送に用いられる接続装置と、上記収容空間内に設置され、上記イヤホン線の回収又は釈放に用いられるイヤホン線引き込み装置とを有する。
【０００７】
好ましくは、上記ハウジングは硬性材質の底板及び軟性材質の側壁と上縁を有し、上記底板、上記側壁及び上記上縁は、一体に結合されている。
【０００８】
好ましくは、上記イヤホンアセンブリは親イヤホンアセンブリ、子イヤホンアセンブリ及びイヤホンロッドを有し、上記親イヤホンアセンブリと子イヤホンアセンブリはいずれも上記イヤホンロッドに設置されており、イヤホンロッドには、イヤホン線回収用の電源スイッチが更に設置されている。
【０００９】
好ましくは、上記伸縮可能な内蔵式イヤホン構造は、上記イヤホン線を巻き付けるための線巻き付け装置を更に有し、上記線巻き付け装置は、複数のローラと上記複数のローラに設置されているベルトループとを有する。
【００１０】
好ましくは、上記伸縮可能な内蔵式イヤホン構造は、上記収容空間内に設置され、上記イヤホン線引き込み装置に電気エネルギーを提供するための電池を更に有し、上記複数のローラは、上記電池の側辺に設置されている。
【００１１】
好ましくは、上記伸縮可能な内蔵式イヤホン構造は、上記接続装置としてのチッププロセッサを更に有し、上記チッププロセッサは、導線を介して上記電池に接続し、上記電池の充放電を制御する。
【００１２】
好ましくは、上記ハウジングには充電ソケットが設置されており、上記チッププロセッサは上記充電ソケットに導線を介して接続する。上記伸縮可能な内蔵式イヤホン構造は、変換プラグを更に有し、上記変換プラグは、一端が上記チッププロセッサに接続し、他端が応用される端末機器と接続可能であり、上記チッププロセッサによって、電池と応用される端末機器の電池が電源を共用し、及び／又は、上記充電ソケットを共用する。
【００１３】
好ましくは、上記変換プラグは導線及び両端の二つのプラグを有し、一端のプラグは、上記チッププロセッサに挿入されており、他端のプラグは、応用される端末機器に挿入されており、上記チッププロセッサによって、上記伸縮可能な内蔵式イヤホン構造と応用される端末機器とが連通する。
【００１４】
好ましくは、上記伸縮可能な内蔵式イヤホン構造には規格の異なる上記変換プラグが複数配置されている。
【００１５】
好ましくは、上記イヤホン線引き込み装置は、駆動装置、上記イヤホン線を巻き付けるためのリール、変速装置、クラッチ、上記イヤホン線と接続する信号連通装置及び引き出された信号線を有し、これらをケースで被覆し、一つのモジュールとして形成されている。
【００１６】
好ましくは、上記イヤホン線引き込み装置の上記駆動装置が、上記変速器を回転させ、上記クラッチと上記リールとの噛合い又は離脱によって、上記リールを回転させイヤホン線の回収又は釈放を行なう。
【００１７】
好ましくは、上記電池は、導線を介して上記イヤホン線引き込み装置の上記駆動装置と接続する。
【００１８】
好ましくは、上記イヤホン線引き込み装置は、イヤホン線の規則正しい巻き付けを行うような線押さえ板を更に有する。
【００１９】
好ましくは、上記イヤホン線は、防弾ファイバー、絶縁導電ワイヤ、イヤホン線外皮及び複数の導電体を有し、上記導電体は、複数の絶縁導電ワイヤからなり、上記絶縁導電ワイヤは、平行に配列し、上記防弾ファイバーに螺旋状に巻き付けられ、上記イヤホン線外皮は、上記絶縁導電ワイヤの表面に付着して被覆し、極めて薄く、柔らかく、且つ耐磨耗性のある外皮を形成し、上記導電体は、上記イヤホン線の両端部に位置しており、使用時にそれぞれ上記イヤホン線引き込み装置の信号連通装置とイヤホンの出力端子と入力端子に接続される。
【００２０】
好ましくは、上記イヤホンが、取付面を有するイヤホンロッドと、第１接続部と、上記第１接続部を介して、上記取付面に対する高さが可変となるように上記イヤホンロッドに接続する第１イヤホンアセンブリとを有する。
【００２１】
好ましくは、上記第１接続部が弾性片であり、上記弾性片の一端が上記取付面に固定接続されており、上記第１イヤホンアセンブリの底部が上記弾性片の他端に固定接続している。
【００２２】
好ましくは、上記伸縮可能な内蔵式イヤホン構造は、第２接続部を有する第２イヤホンアセンブリを更に有し、上記イヤホンロッドには収納部を有し、上記第２イヤホンアセンブリは、上記第２接続部と上記収納部を介して上記イヤホンロッドと着脱可能に接続する。
【００２３】
好ましくは、上記第１イヤホンアセンブリと第２イヤホンアセンブリと接続するダブルイヤホン線は、継ぎ手を介してシングルイヤホン線に変換され、上記継ぎ手には送話器が設置されている。
【００２４】
好ましくは、上記伸縮可能な内蔵式イヤホン構造は、上記イヤホンロッドに周回して形成し、上記第２イヤホンアセンブリに接続する第２イヤホン線を巻き付けるための周回線掛け溝を更に有する。
上記目的を達成するために、本発明は端末機器を提供している。該端末機器は、機器本体と、上記の伸縮可能な内蔵式イヤホン構造とを有し、上記機器本体は、上記伸縮可能な内蔵式イヤホン構造内の接続装置を介して、イヤホンと機器本体との接続及び信号伝送を実現する。
【００２５】
好ましくは、上記端末機器が携帯電話、タブレット型パソコン、ノード型パソコン、デスクトップ型パソコン、テレビ、ハンドヘルドコンピュータ、電話機、個人用視聴覚機器、デジタルプレーヤー、ナビゲーション装置、ゲーム機のうちのいずれか一つである。
【００２６】
上記目的を達成するために、本発明は、伸縮可能な内蔵式イヤホン構造を提供し、イヤホン線を引き込む時に絡んだり結び目ができたりする問題を解決できると共に、２チャンネル問題も解決できる。
【００２７】
該伸縮可能な内蔵式イヤホン構造は、親イヤホンアセンブリと子イヤホンアセンブリとを有し、上記親イヤホンアセンブリは、親イヤホンレシーバーを有し、更に子イヤホン線を巻き取るための第１イヤホン線引き込み装置を有し、上記子イヤホンアセンブリは、子イヤホンレシーバーを有し、上記親イヤホンレシーバーは、親イヤホン線と接続し、上記子イヤホン線の一端は、第１信号接続手段を介して上記親イヤホン線と接続し、上記子イヤホン線の他端は上記子イヤホンレシーバーと接続する。
【００２８】
好ましくは、上記親イヤホンアセンブリが、親イヤホンフロントカバーと親イヤホンリアカバーを更に有し、上記親イヤホンレシーバーは、上記親イヤホンフロントカバーと上記親イヤホンリアカバーとの間に設置されており、上記第１イヤホン線引き込み装置は、上記親イヤホンレシーバーと上記親イヤホンリアカバーとの間に設置されており、上記子イヤホンアセンブリは、子イヤホンフロントカバーと子イヤホンリアカバーを更に有し、上記子イヤホンレシーバーは、上記子イヤホンフロントカバーと上記子イヤホンリアカバーとの間に設置されている。
【００２９】
好ましくは、上記親イヤホンアセンブリが、上記親イヤホンリアカバーに設置された親イヤホンロッドを更に有し、上記子イヤホンアセンブリは、バックルを介して上記親イヤホンロッドに係り止められる。
【００３０】
好ましくは、上記伸縮可能な内蔵式イヤホン構造は、上記親イヤホンロッドに設置され、上記親イヤホン線と接続する送話器を更に有する。
【００３１】
好ましくは、上記第１イヤホン線引き込み装置が、主軸に設置されているリールを有し、上記リールにはリング状縁が設置されており、上記リング状縁の内部にトーションバネが設置されており、上記トーションバネは、外端が上記リング状縁に固定されるとともに、内端が上記主軸に固定されており、上記リールを回転させて上記子イヤホン線を巻き取り、上記リールに巻き取られた子イヤホン線は、上記第１信号接続手段を介して上記親イヤホン線と接続する。
【００３２】
好ましくは、上記第１イヤホン線引き込み装置には、上記リールの回転を制御するためのブレーキ装置が更に設置されている。
【００３３】
好ましくは、上記伸縮可能な内蔵式イヤホン構造は、第２イヤホン線引き込み装置を更に有する。上記第２イヤホン線引き込み装置は、駆動力を提供するモータを有し、上記モータは、主軸に設置されたリールを、変速装置を介して駆動し、上記リールに巻き取られた親イヤホン線は、第２信号接続手段を介して外部信号と接続する。
【００３４】
好ましくは、上記変速装置が、上記モータの駆動軸と接続するウォームと、二段歯車であり、その一段が上記ウォームと垂直に噛合う第１歯車と、上記リールと同一主軸に設置され、上記第１歯車の他段と噛合い、上記リールを駆動して上記親イヤホン線を巻き取る第２歯車とを有する。
【００３５】
好ましくは、上記第２イヤホン線引き込み装置が、ケースを更に有し、上記ケースは、上ケースとベースを有し、上記ケースの側壁には開口が設置されており、上記開口には滑車を有し、上記滑車は、滑車軸を介して上記ベースに設置されており、上記親イヤホン線は、上記滑車を介して上記ケースから伸び出す。
【００３６】
好ましくは、上記第２イヤホン線引き込み装置が、上記モータと上記リールとの間に設置されているクラッチ装置を更に有し、上記クラッチ装置によって、上記モータと上記リールとの噛合い又は離脱を実現する。
【００３７】
好ましくは、上記クラッチ装置が、上記主軸に設置されている圧縮バネを有し、上記圧縮バネは、一端が上記ベースの底面に接触し、他端が上記第２歯車に接触する。
【００３８】
好ましくは、上記第２信号接続手段は、回路基板を有し、上記回路基板には複数本のリング状の導電薄片が設けられており、上記導電薄片は上記親イヤホン線と接続し、上記導電薄片はバネピンとピンリードを介して外部信号と接続し、上記バネピンは上記導電薄片と連通する。
【００３９】
好ましくは、上記伸縮可能な内蔵式イヤホン構造は、第２イヤホン線引き込み装置を更に有する。上記第２イヤホン線引き込み装置は、駆動系と、上記駆動系の一方に設けられ、上記駆動系で駆動される駆動ホイールと、上記駆動系の他方に設けられた支持ホイールと、上記駆動ホイールと上記支持ホイールを周回し、上記親イヤホン線を巻き付けるための線巻き付けループとを備え、上記線巻き付けループに巻き付けられた上記親イヤホン線は、第２信号接続手段を介して外部信号と接続し、上記駆動ホイールは、上記線巻き付けループを介して上記支持ホイールを回転させ、上記親イヤホン線を上記線巻き付けループに巻き付けて引き込む。
【００４０】
好ましくは、上記第２イヤホン線引き込み装置が、上記駆動系と上記駆動ホイールとの間に設けられるクラッチ装置を更に備え、上記駆動系は上記クラッチ装置を介して上記駆動ホイールを駆動し、上記親イヤホン線の巻き出しによって上記駆動ホイールが自転するとき又は線引き込みが終了した時に、上記クラッチ装置が上記駆動系と上記駆動ホイールを分離させる。
【００４１】
好ましくは、上記駆動系がマイクロモータであり、上記クラッチ装置が円錐台型歯車である。
【００４２】
好ましくは、上記駆動ホイールは第１円状側片と第２円状側片とを有し、上記第１円状側片と上記第２円状側片とは、主軸で連結され、上記第１円状側片の内側面には、上記主軸を周回して円周状の排列となる複数の歯車が設けられ、上記マイクロモータは、上記マイクロモータの主軸に設けられた歯車を介して上記円錐台型歯車と噛み合うか上記円錐台型歯車から分離する。
【００４３】
好ましくは、上記線巻き付けループに、複数のＵ型線掛け溝からなるリング状線巻き付け溝が設けられ、上記親イヤホン線は引き込まれるときに上記リング状線巻き付け溝内に巻き取られる。
【００４４】
好ましくは、上記伸縮可能な内蔵式イヤホン構造は、長楕円状のケースを更に備え、該ケースの側壁には開口が設置されており、上記親イヤホン線は、上記開口を通して上記ケースから伸びだす。
【００４５】
好ましくは、上記第２信号接続装置が、上記Ｕ型線掛け溝の外側に設けられ、上記親イヤホン線と接続する複数の信号連通弾性片と、リング形状の導電金属薄片からなり、信号線を介して外部端末のマザーボード信号と接続する信号連通トラックであって、上記ケースの内壁に設けられ、上記信号連通弾性片と接触して連通可能な複数の信号連通トラックと、を有する。
【００４６】
好ましくは、上記支持ホイールが半円周の排列となる複数のボール又はローラーである。
【発明の効果】
【００４７】
上記技術案から、本発明の実施例によれば下記の有益効果を有することが分かる。
（１）本実施例では、該伸縮可能な内蔵式イヤホン構造によって端末機器のイヤホン資源の浪費問題を徹底的に解決でき、端末機器を使用する（例えば電話する）際に、端末機器を頭部まで挙げる必要がなく、端末機器に応用する伸縮可能な内蔵式イヤホン構造から内蔵式伸縮可能なイヤホンを直接的に引き出し、端末機器の電磁放射による危害を効果的に低減できる。
【００４８】
（２）本実施例では、ハウジングの側壁と上縁が伸縮可能な軟性材質で作製するため、該伸縮可能な内蔵式イヤホン構造のハウジングは、いずれのサイズの端末機器にも適用できる。
【００４９】
（３）伝統的なイヤホン線が太くて硬く、数百回巻き付くだけで断裂しやいこととは異なり、本実施例によるイヤホン線は、非常に繊細であり、柔らかく、数万回巻き付いても断裂することはなく、内蔵式伸縮可能なイヤホンとしての使用寿命の要求を完全に達している。
【００５０】
（４）本発明の別の実施例において、親イヤホンに設置される線引き込み装置によって子イヤホンの子イヤホン線を巻き取り、親イヤホン線（シングル線）の回収に寄与するだけではなく、親イヤホンから子イヤホンを分離でき、２チャンネルの効果を達成する。２チャンネルステレオが必要でないとき、親イヤホンのみを使用すればよい。２チャンネルステレオが必要のとき、親イヤホンから子イヤホン及び子イヤホン線を引き出し、親と子の二つのイヤホンを左右の耳にそれぞれ付けて音声を受信し、２チャンネルステレオ感をもたらす。
【図面の簡単な説明】
【００５１】
【図１】本発明の第１実施例の伸縮可能な内蔵式イヤホン構造の正面図である。
【図２】本発明の第１実施例の伸縮可能な内蔵式イヤホン構造の側面図である。
【図３】本発明の第１実施例の伸縮可能な内蔵式イヤホン構造のハウジングの正面図である。
【図４】本発明の第１実施例の伸縮可能な内蔵式イヤホン構造のハウジングの断面図である。
【図５】本発明の第１実施例の伸縮可能な内蔵式イヤホン構造の電池及び線巻き付け装置の構造を示す概略図である。
【図６】本発明の第１実施例の伸縮可能な内蔵式イヤホン構造においてイヤホン線がハウジングから引き出された状態の構造を示す概略図である。
【図７】本発明の第１実施例のイヤホンの構造を示す概略図である。
【図８】本発明の第１実施例における親子ダブルイヤホンアセンブリを含む構造を示す概略図である。
【図９】本発明の第１実施例における親子ダブルイヤホンアセンブリがイヤホンロッドに付着した状態の構造を示す概略図である。
【図１０】本発明の第１実施例における親子ダブルイヤホンアセンブリを含む別のイヤホン構造の概略図である。
【図１１】本発明の第１実施例におけるイヤホン線引き込み装置の概略図である。
【図１２】本発明の第１実施例におけるイヤホン線の構造を示す透視断面図である。
【図１３】本発明の第１実施例におけるイヤホン線の端部構造を示す透視断面図である。
【図１４】本発明の第１実施例におけるイヤホン線引き込み装置が端末機器に応用する場合の構造を示す概略図である。
【図１５】本発明の第２実施例の伸縮可能な内蔵式イヤホン構造の概略図である。
【図１６】本発明の第２実施例の伸縮可能な内蔵式イヤホン構造の断面概略図である。
【図１７】本発明の第２実施例の伸縮可能な内蔵式イヤホン構造の側面図である。
【図１８】本発明の第２実施例の伸縮可能な内蔵式イヤホン構造の第１イヤホン線引き込み装置の断面図である。
【図１９】本発明の第２実施例の伸縮可能な内蔵式イヤホン構造の第１イヤホン線引き込み装置の構造を示す概略図である。
【図２０】本発明の第２実施例における第２イヤホン線引き込み装置の構成を示す概略断面図である。
【図２１】本発明の第２実施例における第２イヤホン線引き込み装置の駆動系、クラッチ装置及び駆動ホイール間の関係を示す概略図である。
【図２２】本発明の第２実施例における第２イヤホン線引き込み装置の線巻き付けループ及び線巻き付けループに設置されるＵ型線掛け溝の断面概略図である。
【図２３】本発明の第２実施例における第２イヤホン線引き込み装置のＵ型線掛け溝、信号接続装置及びケース間の関係を示す概略図である。
【図２４】本発明の第２実施例における第２イヤホン線引き込み装置の断面図である。
【図２５】本発明の第２実施例における第２イヤホン線引き込み装置の構造分解図である。
【図２６】図２５に示す第２イヤホン線引き込み装置の第２信号接続手段の構造図である。
【発明を実施するための形態】
【００５２】
本発明の実施例の目的、技術案及び利点をより明確かつ明瞭にするために、以下、図面を参照して、本発明の実施例を更に詳しく説明する。ここで、本発明の例示的な実施例及び説明は、本発明を解釈するためのものであり、本発明を限定するものではない。
【実施例１】
【００５３】
図１〜２に示すように、本発明の第１実施例の伸縮可能な内蔵式イヤホン構造は、収容空間（図示せず）を有するハウジング３１と、収容空間内に設置可能であり、イヤホンアセンブリ３２１とイヤホン線３２２とを含むイヤホン３２と、イヤホン３２と端末機器との接続及び信号伝送に用いられる接続装置３３と、および収容空間内に設置され、イヤホン線３２２の回収又は釈放に用いられるイヤホン線引き込み装置３４とを有する。
【００５４】
本実施例では、上記収納空間にスクリーン、処理チップ、レシーバー、カメラなど、端末機器の各機能モジュールも収納できる。本実施例では、該収納空間の具体的な形状が限定されていないことは当然に理解できるはずである。
【００５５】
上記端末機器は、携帯電話、タブレット型パソコン、ノード型パソコン、デスクトップ型パソコン、テレビ、ハンドヘルドコンピュータ、電話機、個人用視聴覚機器、デジタルプレーヤー、ナビゲーション装置、ゲーム機のうちのいずれか一つである。
【００５６】
図３〜４に示すように、本実施例において、ハウジング３１は、硬性材質の底板３１１及び軟性材質の側壁３１２と上縁３１３を有する。底板３１１、側壁３１２及び上縁３１３は、結合されて一体となり、伸縮可能な内蔵式イヤホン構造などの機能モジュールの収納に用いられる。
【００５７】
本実施例では、該軟性材質は、可塑性の弾性体を使用可能である。
本実施例では、底板３１１は、硬性材質からなり、側壁３１２と上縁３１３は、伸縮可能な軟性材質からなる。本実施例では、上記弾性材質と上記軟性材質の具体的な成分が限定されていないことは当然に理解できるはずである。
【００５８】
ハウジング３１の作製時に、側壁３１２と上縁３１３を底板３１１の側辺に嵌め、硬性材質の底板３１１で軟性材質の側壁３１２と上縁３１３を支えるようになり、これにより、内側へ縁がある長手の鉢形状のものを形成する（図３、４を参照する）。
また、側壁３１２と上縁３１３が共に伸縮可能な軟性材質で作製したため、該ハウジング３１は、いずれのサイズの端末機器にも適用可能である。
【００５９】
本実施例及び図面では、単に該イヤホンアセンブリ３２１が親子ダブルイヤホンアセンブリである例を紹介するが、もちろん、該イヤホンアセンブリ３２１がシングルイヤホンアセンブリであってもよく、その伸縮可能な内蔵式イヤホン構造が本実施例と類似し、ここでは重複な記載をしない。
【００６０】
引き続き図１を参照すると、イヤホンアセンブリ３２１は、親イヤホンアセンブリ３２１１、子イヤホンアセンブリ３２１２及びイヤホンロッド３２１３を有する。親イヤホンアセンブリ３２１１と子イヤホンアセンブリ３２１２とは、いずれもイヤホンロッド３２１３に設置できる。
【００６１】
２チャンネルステレオが必要でないとき、親イヤホンアセンブリ３２１１のみを使用する。２チャンネルステレオが必要のとき、親イヤホンアセンブリ３２１１と子イヤホンアセンブリ３２１２をそれぞれ使用者の左右の耳に付けて音声を聞くことで、使用者に２チャンネルステレオ効果を提供できる。
【００６２】
また、操作を便利にするために、イヤホン３２には線引き込みスイッチ３２１４が更に設置されている。該線引き込みスイッチ３２１４は、イヤホン線３２２内に設置されている信号線を介してイヤホン線引き込み装置３４における駆動装置（例えばマイクロモータ）の電源のオン／オフを制御し、それによってイヤホン線３２２の線引き込み操作を柔軟に制御できる。
【００６３】
引き続き図５を参照すると、伸縮可能な内蔵式イヤホン構造は、イヤホン線３２２を巻き付けるための線巻き付け装置３５を更に有する。該線巻き付け装置３５は複数のローラ３５１と複数のローラ３５１に設置されているベルトループ３５２とを有する。本実施例では、該ローラ３５１の配列方式及び数が限定されていないことは当然に理解できるはずである。
【００６４】
本実施例では、ローラ３５１の両側にバッフルプレートが更に設けられてもよく、バッフルプレートによってリング形状の線掛け溝を形成する。リング形状の線掛け溝のローラ３５１にベルトループ３５２が装着されており、イヤホン線３２２をベルトループ３５２に巻き付ける。ローラ３５１とベルトループ３５２を設置することにより、イヤホン線３２２の巻き付け時における線巻き付け装置３５との間の摩擦力を効果的に減少できる。
【００６５】
引き続き図５を参照すると、該伸縮可能な内蔵式イヤホン構造は、収容空間内に設置されイヤホン線引き込み装置３４に電気エネルギーを提供するための電池３６を更に有する。
【００６６】
図５に示すように、複数のローラ３５１は、電池３６の側辺に設置できる。本実施例では、図５に示されている配列方式を採用できる。勿論、複数のローラ３５１の配列方式は、これに限られない。
【００６７】
本実施例では、電池３６は、例えばニッケル水素電池、又はリチウム電池などの充電電池で実現することが好ましい。勿論、本実施例では、該電池の具体的な規格とタイプは限定されていない。
【００６８】
引き続き図５を参照すると、底板３１１の一端にはイヤホン線引き込み装置３４が設置されており、底板３１１の中部には電池３６及び該電池３６を取り囲んで形成した線巻き付け装置３５が設置されており、イヤホン線３２は底板３１１の他端に設置できる（図５を参照）。
【００６９】
イヤホン３２を使用するときに、イヤホン３２を収納空間から引き出し、使用が完了すると、イヤホン線引き込み装置３４によってイヤホン３２を収納空間内に回収する。
【００７０】
イヤホンアセンブリ３２１が親子ダブルイヤホンアセンブリである場合、イヤホン線引き込み装置３４から引き出されるのはシングルイヤホン線であり、変換継ぎ手３５３を介して該シングルイヤホン線をダブルイヤホン線に変換してから、ダブルイヤホン線を線巻き付け装置３５に一周してイヤホンロッド３２１３に接続する。
【００７１】
また、イヤホンロッド３２１３が位置する底板３１１には切込みがあり、端末機器に装着すると、底板３１１の切込みからイヤホン３２を押し出すことができ、イヤホンアセンブリ３２１及びイヤホン線３２２を引き出して電話をしたり、音楽を聴いたりすることができる（図６を参照する）。
【００７２】
本実施例では、シングルイヤホン線をダブルイヤホン線に変換する変換継ぎ手３５３には更に送話器３５４を設けてもよい。
すなわち、イヤホンアセンブリ３２１が親子ダブルイヤホンアセンブリである場合、イヤホンロッド３２１３と接続するイヤホン線３２２がダブルイヤホン線であり、該ダブルイヤホン線が変換継ぎ手３５３によってシングルイヤホン線に変換できる。
【００７３】
イヤホン３２を収納空間内に収納したとき、線巻き付け装置３５には、ダブルイヤホン線のみが一定の長さで巻き付けられており、又はダブルイヤホン線とシングルイヤホン線の両方が一定の長さで巻き付けられており、イヤホン線引き込み装置３４内にはシングルイヤホン線のみが巻き付けられている。従って、線巻き付け装置３５に一定の長さのダブルイヤホン線を巻き付けることによって、親イヤホンアセンブリ３２１１と子イヤホンアセンブリ３２１２を正常に使用者の左右の耳に付けることを保証できる。
【００７４】
本実施例では、伸縮可能な内蔵式イヤホン構造は、接続装置３３としてのチッププロセッサを更に有する。該チッププロセッサは、導線を介して電池３６に接続し、電池３６の充放電制御に用いられる。
【００７５】
本実施例では、チッププロセッサは、従来の電子部品からなり、イヤホンによる電話受信と音楽聴取との識別処理、又は、端末機器の電池と伸縮可能な内蔵式イヤホン構造の電池との電源共用などに用いられる。本実施例では、該チッププロセッサの具体的な規格が限定されていないことは当然に理解できるはずである。
【００７６】
引き続き図１〜２を参照すると、ハウジング３１には充電ソケット３７が設けられている。該チッププロセッサは、充電ソケット３７に導線を介して接続できる。
該伸縮可能な内蔵式イヤホン構造は、変換プラグ３８を更に有する。変換プラグ３８は、一端がチッププロセッサに接続し、他端が端末機器と接続可能である。チッププロセッサによって、電池３６と応用される端末機器の電池とが電源を共用し、充電ソケット３７を共用する。
【００７７】
この場合、電池３６は応用される端末機器のスペア電池に相当するため、端末機器の待機時間を効果的に延長できる。
本実施例では、該充電ソケット３７は、Ｍｉｎｉ‐ＵＳＢインターフェースで実現可能である。勿論、本実施例では、該充電ソケット３７の具体的な構造が限定されていない。
【００７８】
引き続き図１〜２を参照すると、変換プラグ３８は、導線３８１及び両端の二つのプラグ３８２、３８３を有する。一端のプラグ３８２は、チッププロセッサに挿入されており、他端のプラグ３８３は、応用される端末機器に挿入されている。チッププロセッサによって伸縮可能な内蔵式イヤホン構造と応用される端末機器との連通を実現する。
【００７９】
本実施例では、伸縮可能な内蔵式イヤホン構造には、異なる規格の変換プラグ３８を複数配置でき、使用者が異なる端末機器によって適合なものを選択できる。
【００８０】
上記記載から分かるように、本実施例では、底板３１１の平面に充電ソケット３７とチッププロセッサが更に設けられており、しかも、チッププロセッサにはソケットが設けられ、変換プラグ３８を挿入できる。図１において、３８１は導線であり、３８３は結合する端末機器に挿入するプラグであり、３８２はチッププロセッサに挿入するプラグである。導線３８１は、長いものとすることができ、端末機器との接続を考え、規格が異なる複数の変換プラグ３８を備えるべきである。
【００８１】
本実施例では、充電ソケット３７が導線を介して電池３６に接続する。電池３６はイヤホン線引き込み装置３４の駆動装置と接続でき、且つチッププロセッサに接続し、また変換プラグ３８を介して、結合する端末機器の電池と電源を共用する。
具体的には、使用時に、変換プラグ３８を結合する端末機器（例えば携帯電話）に挿入し、端末機器を伸縮可能な内蔵式イヤホン構造のハウジング３１内に挿入することで、端末機器との結合を完了する。
【００８２】
本発明の実施例のイヤホン構造において、イヤホンアセンブリ３２１は、取付面に対して高さが可変となるように接続される。イヤホンの使用時に、イヤホンアセンブリ３２１が比較的に高い高さで取付面から突出するが、非使用時に、イヤホンアセンブリ３２１が取付面に近づき、全体的にイヤホン構造の厚さを減少する。
【００８３】
図７は本発明の第１実施例のイヤホンの構造概略図である。該イヤホンは、取付面を有するイヤホンロッド７１と、第１接続部７２と、第１接続部７２を介して、取付面に対して高さが可変となるようにイヤホンロッド７１に接続する第１イヤホンアセンブリ７３とを有する。
【００８４】
本発明の具体的な実施例では、第１イヤホンアセンブリ７３は、第１接続部７２を介してイヤホンロッド７１に接続するが、第１イヤホンアセンブリ７３はイヤホンロッド７１の取付面に対して高さが可変である。従って、使用時に、第１イヤホンアセンブリ７３を耳介に進入できるように比較的に高い高さで取付面から突出させる。一方、使用者がイヤホンを使用しないときに、第１イヤホンアセンブリ７３の高さを低くすることができ、全体的にイヤホン構造の厚さを減少する。
【００８５】
図７に示す構造から、該第１接続部７２は弾性片であり、弾性片の一端が取付面に固定接続されており、他端が第１イヤホンアセンブリ７３の底部に固定接続されていることがわかる。
使用時に、イヤホン構造はいかなる拘束も受けず、弾性片による弾性力の作用によって、弾性片と第１イヤホンアセンブリ７３と接続する一端が第１高さに位置し、第１イヤホンアセンブリ７３が耳介に進入できる。
【００８６】
一方、非使用時に、第１イヤホンアセンブリ７３に一定の圧力を付与し、圧力の作用によって、第１イヤホンアセンブリ７３が弾性片を圧縮し、弾性片を一層取付面へ近づける。第１イヤホンアセンブリ７３も取付面に対して下降し、第１イヤホンアセンブリ７３の取付面に対する高さが減少し、全体的にイヤホンの全体的厚さを減少し、イヤホンが更に薄い電子機器のハウジングに収納されやすくなる。
【００８７】
勿論、本発明の具体的な実施例では、該弾性片の数は、一個でもよいし、図７に示す二つの弾性片のように、複数であってもよい。もちろん、更に多くの弾性片であってもよい。
上記説明では、第１イヤホンアセンブリ７３は、弾性片構造を介して、取付面に対して高さが可変となるようにイヤホンロッド７１と接続する。ただし、第１イヤホンアセンブリ７３とイヤホンロッド７１の取付面との間の高さが可変の接続を実現する方式は、そのほかにもいろいろあり、以下で説明する。
【００８８】
第１イヤホンアセンブリ７３の底部にスクリューを取付け、イヤホンロッド７１にねじ穴を形成しておき、使用時に、第１イヤホンアセンブリ７３の底部のスクリューをねじ穴から捻り出し、それによって第１イヤホンアセンブリ７３を取付面に対して上昇させ、取付面に対する第１イヤホンアセンブリ７３の高さを高める。
【００８９】
一方、非使用時に、第１イヤホンアセンブリ７３の底部のスクリューをねじ穴に捻り込み、第１イヤホンアセンブリ７３を取付面に対して下降させ、取付面に対する第１イヤホンアセンブリ７３の高さを低めることで、全体的にイヤホンの全体の厚さを減少し、イヤホンが更に薄い電子機器のハウジングに収納されやすくなる。
【００９０】
勿論、上記スクリューを取付面から突出するように設置し、第１イヤホンアセンブリ７３の底部にねじ穴を設置することで、両者の相対的な高さの可変を実現することもできる。
【００９１】
第１イヤホンアセンブリ７３が取付面に対して回転するように取付面に対する高さを低く／高くする場合、イヤホン線がスクリューに巻き付いてしまうことがある。従って、上記問題を解決するために、バネを利用して上記第１接続部７２を実現し、上記取付面から突出するバネを取付面に設置し、第１イヤホンアセンブリ７３の底部とバネの頂上とを固定的に接続する。
【００９２】
使用時に、イヤホン構造はいかなる拘束も受けず、バネによる弾性力の作用によって、第１イヤホンアセンブリ７３は、第１高さに位置し、耳介に進入できる。一方、非使用時に、イヤホンアセンブリに一定の圧力を付与し、圧力の作用によって、第１イヤホンアセンブリ７３がバネを圧縮し、第１イヤホンアセンブリ７３を取付面に対して下降させ、第１イヤホンアセンブリ７３の取付面に対する高さを低くし、全体的にイヤホンの全体の厚さを減少し、イヤホン構造が更に薄い電子機器のハウジングに収納されやすくなる。
【００９３】
上記の実現方式の構造では、第１イヤホンアセンブリ７３のみについて言及したが、現在の電子機器のレベルのますますの向上につれて、電子機器が音楽、ビデオ再生など様々な機能を有しているので、より多くの電子機器は２チャンネルイヤホンを使用し、すなわち二つのイヤホンアセンブリを有する。この場合では、該イヤホン構造は、第２イヤホンアセンブリ７４を更に有する。もちろん、上記の第２イヤホンアセンブリ７４も同様の構造を使用できる。
【００９４】
しかし、二つのイヤホンアセンブリがいずれも上記構造を使用すると、イヤホン構造の体積が大きくなる。従って、本発明の具体的な実施例では、一定の構造配置を行なうことにより、第２イヤホンアセンブリ７４を着脱可能にイヤホンロッドに接続させることでイヤホン構造の全体の体積を減少させ、また、イヤホン構造が電子機器のハウジングの厚さを増やすことなく電子機器のハウジング内部に入ることができる。
【００９５】
上記のイヤホン構造は、図８に示すように、第２接続部７４１を有する第２イヤホンアセンブリ７４を更に有する。イヤホンロッド７１には収納部７１１を有する。第２イヤホンアセンブリ７４は、第２接続部７４１と収納部７１１を介してイヤホンロッド７１と着脱可能に接続する。
【００９６】
本発明の具体的な実施例では、第２イヤホンアセンブリ７４をイヤホンロッド７１と着脱可能に接続する方式は、複数あり、以下に、方式１、方式２についてそれぞれ説明する。
【００９７】
＜方式１＞
図８に示すように、第２接続部７４１は第２イヤホンアセンブリ７４の底部に設置されているシート状構造であり、イヤホンロッド７１には、上記シート状構造を挿入するための挿入溝７１１が設置されている。該イヤホンを使用しないとき、図９に示すように、該シート状構造の第２接続部７４１を対応して設置している挿入溝７１１に挿入することで、第２イヤホンアセンブリ７４をイヤホンロッド７１に付着させることができる。使用するとき、図８に示すように、該シート状構造の第２接続部７４１を挿入溝７１１から抜き出し、第２イヤホンアセンブリ７４とイヤホンロッド７１の離脱を実現する。
【００９８】
勿論、第１イヤホンアセンブリ７３と第２イヤホンアセンブリ７４の厚さが基本的に同一であるため、挿入溝７１１の深さがシート状構造の高さより大きくなるように保証すれば、シート状構造の第２接続部７４１が対応して設置している挿入溝７１１に挿入した後、第２イヤホンアセンブリ７４の取付面に対する高さが、取付面に対する第１イヤホンアセンブリ７３の高さより大きくならないように保証する。また、電子機器のハウジングの厚さを増やすことなく電子機器のハウジングに収納することができる。また、単独で使用するとき、イヤホン構造の全体の体積を減少する。
【００９９】
＜方式２＞
図１０に示すように、イヤホンロッドを中空構造（図示せず）にし、該中空構造と連通する連通穴７１２を取付面に設置し、第２イヤホンアセンブリ７４の底部にフック７４２を設置する。該フック７４２が連通穴７１２を通して中空構造に入ることで、第２イヤホンアセンブリ７４をイヤホンロッド７１に付着させる。使用時に、連通穴７１２を通して該フック７４２を抜き出し、第２イヤホンアセンブリ７４とイヤホンロッド７１との離脱を実現する。
【０１００】
上記構造を利用することにより、第２イヤホンアセンブリ７４の取付面に対する高さが、取付面に対する第１イヤホンアセンブリ７３の高さより大きくなることはなく、電子機器のハウジングの厚さを増やすことなく電子機器のハウジングに収納することができ、単独で使用するとき、イヤホン構造の全体の体積を減少する。
【０１０１】
本発明の具体的な実施例では、親子ダブルイヤホンアセンブリのイヤホン構造は、各イヤホンアセンブリにイヤホン線が接続されているが、イヤホン線が比較的に長いとき互いに絡んでしまったりすることがあり、使用が不便となる。
従って、本発明の具体的な実施例では、図８に示すように、継ぎ手７５が更に設置されている。上記第１イヤホンアセンブリ７３及び第２イヤホンアセンブリ７４と接続するダブルイヤホン線が継ぎ手７５を介してシングルイヤホン線に変換され、該シングルイヤホン線を介して電子機器のオーディオインターフェースに接続する。
【０１０２】
また、双方向の音声通信を考慮し、該変換継ぎ手７５に送話器を設置して、音声採集を実現することもできる。
通常、ダブルイヤホンアセンブリのイヤホン構造は、第１イヤホンアセンブリ７３がイヤホンロッド７１と固定的に接続するため、別のイヤホンアセンブリに接続するイヤホン線は、別の耳介に入ることができるような充分の長さを保証する必要がある。
【０１０３】
従って、該第２イヤホンアセンブリ７４のイヤホン線の長さを保証するために、図１０に示すように、イヤホンロッドに周回線掛け溝７１３を設置し、上記第２イヤホンアセンブリ７４と接続する第２イヤホン線を巻き付ける。
【０１０４】
非使用時に、上記第２イヤホンアセンブリ７４のイヤホン線が周回線掛け溝７１３に巻き付けられるが、使用時に、イヤホン線を周回線掛け溝７１３から取り出し、イヤホン線の長さを延長させる。
このような構造は、ダブルイヤホン線をシングルイヤホン線に変換する継ぎ手を有すると共に、イヤホン線引き込み装置が該継ぎ手を収納できない場合に特に効果的であり、次に詳細に説明する。
【０１０５】
イヤホン線の継ぎ手が線引き込み装置に収納できないため、継ぎ手までのイヤホン線が充分の長さを有するように保証する必要があり、それによって二つのイヤホンアセンブリが左右の耳介にそれぞれ入ることができるようになる。ただし、電子機器内部の空間に限度があることを考慮し、継ぎ手までのイヤホン線の長さが長すぎると、ほかの補助的な構造がない場合に、継ぎ手がイヤホン線引き込み装置に達したとき、まだ多くのイヤホン線が電子機器のハウジング内に入っておらず、収納効果がよくない。
【０１０６】
継ぎ手がイヤホン線引き込み装置に達したときにイヤホン線がちょうど電子機器のハウジングに入るようにすると、継ぎ手までのイヤホン線の長さは、二つのイヤホンアセンブリが左右の耳介にそれぞれ入れることを保証できない。
【０１０７】
上記問題を解決するために、本発明の具体的な実施例では、一部のイヤホン線を周回線掛け溝に巻き付ける。非使用時に、第２イヤホンアセンブリのイヤホン線が周回線掛け溝に巻き付けられる。このとき、イヤホンアセンブリとプラグとの間の距離を大きく短縮し、継ぎ手がイヤホン線引き込み装置に達したときに、イヤホン線が電子機器のハウジングに入ることができる。
【０１０８】
使用時に、周回線掛け溝からイヤホン線を取り出し、継ぎ手までのイヤホン線の長さを延長させ、二つのイヤホンアセンブリが左右の耳介にそれぞれ入れるようにする。
【０１０９】
図１１〜１２を参照すると、上記イヤホン線引き込み装置３４は、駆動装置３４１と、イヤホン線３２２を巻き付けるためのリール３４２と、変速装置３４３と、クラッチ３４４と、イヤホン線３２２と接続する信号連通装置３４５とを有し、これらをケースで被覆し、一つのモジュールとして形成されている。
【０１１０】
本実施例では、イヤホン線引き込み装置３４の駆動装置３４１は、変速器３４３、またクラッチ３４４を介してリール３４２と噛合い又は離脱し、リール３４２を回転させイヤホン線３２２の回収又は釈放を行なう。電池３６は、導線を介してイヤホン線引き込み装置３４の駆動装置３４１に接続する。
【０１１１】
イヤホン線引き込み装置３４は、イヤホン線３２２の規則正しい巻き付けを行うように線押さえ板３４６を更に有する。
【０１１２】
本実施例では、駆動装置３４１はマイクロモータ、バネ、又はその他の動力を提供可能な駆動装置を使用できる。本発明の実施例では、上記駆動装置４１がマイクロモータであることが好ましい。
【０１１３】
本実施例では、クラッチ３４４は、歯車３４３２とバネと摩擦片とからなり、抵抗力の強弱で噛合い又は離脱を実現する。変速器３４３は複数の歯車からなってもよく（例えば歯車３４３１、３４３２、３４３３からなる）、複数の歯車が互いに協働して適切な回転速度を提供する。
【０１１４】
本実施例で変速器３４３を設置する目的は、マイクロモータを減速させトルクを増加する目的を達成させることである。クラッチ３４４を設置する目的は、リール３４２が設計より大きい抵抗力を受けた場合にマイクロモータ系と離脱させ、マイクロモータの保護及び使用安全性を実現し、イヤホン線３２２の容易な引き出しにも寄与するためである。
【０１１５】
線押さえ板３４６を設置するのは、リール３４２に巻き取られたイヤホン線３２２が緩くならないように、整列するためである。
本実施例では、内蔵式伸縮可能なイヤホン装置のイヤホン線３２２が自由に出入りするために、イヤホン線３２２を柔らかく繊細なものとする。
【０１１６】
図１２〜１３を参照すると、上記イヤホン線３２２は、防弾ファイバー３２２１、絶縁導電ワイヤ３２２２及びイヤホン線外皮３２２３を有する。
イヤホン線３２２は、複数の導電体３２２４を更に有する。導電体３２２４は、複数の絶縁導電ワイヤ３２２２からなる。
絶縁導電ワイヤ３２２２は、平行に配列し、防弾ファイバー３２２１に螺旋状に巻き付けられる。
【０１１７】
イヤホン線３２２の外皮は、絶縁導電ワイヤ３２２２の表面に付着して被覆し、極めて薄く、柔らかく、且つ耐磨耗性のある外皮を形成する。
導電体３２２４は、イヤホン線３２２の両端部に位置しており、使用時にそれぞれ接続装置３３とイヤホン３２の出力端子と入力端子に接続される。
【０１１８】
図１２〜１３を参照すると、本発明におけるイヤホン線３２２の構造は、複数の絶縁導電ワイヤ３２２２を平行に配列し、防弾ファイバー３２２１に緊密に巻き付け、その後イヤホン線３２２の外皮を融合することで、仕掛け品のイヤホン線３２２を作製し、更に所要の長さにカットし、カットした後に線の両端を剥き、剥いてから露出する絶縁導電ワイヤ３２２２の数本を一群とし、一本一本の導電体３２２４を形成する。
【０１１９】
通常、一本のイヤホン線３２２は、３ないし８本の導電体３２２４から構成される（図１３を参照する）。
なお、防弾ファイバー３２２１は、強い引っ張り力のある微細ファイバーが組み合わせてなることで、出来上がったイヤホン線３２２の引っ張り強度を強める。
【０１２０】
イヤホン線３２２の外皮は、耐磨耗性があり、付着力が強く、柔軟性が良好な高分子材料から作製することで、出来上がったイヤホン線３２２の柔軟性と耐磨耗性を強める。
【０１２１】
上記の技術と工程で作製したイヤホン線３２２は、一本一本の絶縁導電ワイヤ３２２２が平行して並列し防弾ファイバー３２２１に巻き付けられ、イヤホンの外皮を融合したことで、イヤホン線３２２内部の隙間と「谷」をなくして、これによってイヤホン線３２２の巻き付け中における湾曲角度を減少し、イヤホン線３２２の巻き付け径と隙間を減少する（従来技術では、イヤホン線は、数本の絶縁導電ワイヤが一本の防弾ファイバー３２２１に巻き付けて一本の導電体３２２４を作製してから、複数の導電体３２２４を互いに別の防弾ファイバー３２２１に巻き付け、イヤホン線の外皮を融合して形成する。このような技術と方法で作製したイヤホン線は、内部の隙間と谷が比較的に大きく、その分イヤホン線の外皮が充填するため、線の径が比較的に太く、且つ硬くなり、しかも、巻き付け中にイヤホン線の巻き付け径と隙間を更に大きくするため、イヤホン線がより断裂・破損しやすい）。
従って、上記の新しい技術と新しい工程を採用したイヤホン線は、狭い空間の範囲で数万回巻き付けられても断裂することはなく、内蔵式伸縮可能なイヤホン線の設計上の要求と使用上の目的を達成できるようになる。
【０１２２】
本発明の別の実施例では、本発明は更に端末機器を提供する。該端末機器は、機器本体と、上記実施例の伸縮可能な内蔵式イヤホン構造とを有し、機器本体が上記伸縮可能な内蔵式イヤホン構造内の接続装置を介してイヤホンと機器本体との接続及び信号伝送を実現する。
【０１２３】
本実施例では、端末機器は、携帯電話、タブレット型パソコン、ノード型パソコン、デスクトップ型パソコン、テレビ、ハンドヘルドコンピュータ、電話機、個人用視聴覚機器、デジタルプレーヤー、ナビゲーション装置、ゲーム機のうちのいずれか一つである。
【０１２４】
図１４は、本発明の実施例においてイヤホン線引き込み装置が端末機器に応用する場合の構造概略図である。該端末機器は、携帯電話ハウジングと、携帯電話ハウジング内に設置可能な伸縮可能な内蔵式イヤホン構造１５０と、一端が伸縮可能な内蔵式イヤホン構造と接続し、他端がイヤホン線引き込み装置の信号連通装置から引き出された信号線を介して携帯電話の音声処理チップと接続するイヤホン線１５１と、携帯電話ハウジング内に設置されイヤホン線を巻き付けるためのイヤホン線引き込み装置１５２とを有する。
【０１２５】
イヤホン線引き込み装置１５２、イヤホン線（シングルイヤホン線とダブルイヤホン線）１５１、継ぎ手１５３、送話器１５４及び親子ダブルイヤホン１５０は、応用される端末機器のハウジング内に直接設置できる（図１４を参照する）。継ぎ手１５３はイヤホン線１５１のシングルイヤホンをダブルイヤホン線に変換できる。ダブルイヤホン線の長さが不十分の場合、イヤホン線１５１のシングルイヤホン線をイヤホンロッドに数周巻き付ける（図１０を参照）ことにより、イヤホン線の長さを増やす。
【実施例２】
【０１２６】
図１５ないし図１８を参照すると、本発明の第２実施例の伸縮可能な内蔵式イヤホン構造の構造概略図が示されている。
【０１２７】
伸縮可能な内蔵式イヤホン構造は、親イヤホンアセンブリと子イヤホンアセンブリとを有する。親イヤホンアセンブリは、親イヤホンレシーバー５２を有し、更に子イヤホン線５１２を巻き取るための第１イヤホン線引き込み装置５３を有する。子イヤホンアセンブリは、子イヤホンレシーバー５９を有する。親イヤホンレシーバー５２は、親イヤホン線６と接続する。子イヤホン線５１２は、一端が第１信号接続手段５１０６を介して親イヤホン線６と接続し、他端が子イヤホンレシーバー５９と接続する。
【０１２８】
親イヤホンアセンブリは、親イヤホンフロントカバー５１と、親イヤホンリアカバー５４と、親イヤホンフロントカバー５１と親イヤホンリアカバー５４との間に設置される親イヤホンレシーバー５２と、親イヤホンレシーバー５２と親イヤホンリアカバー５４との間に設置され子イヤホン線５１２を巻き取るための第１イヤホン線引き込み装置５３を有する。子イヤホンアセンブリは、子イヤホンフロントカバー５８と、子イヤホンリアカバー５１０と、子イヤホンフロントカバー５８と子イヤホンリアカバー５１０との間に設置される子イヤホンレシーバー５９を有する。
【０１２９】
親イヤホンレシーバー５２は、親イヤホン線６と接続する。子イヤホン線５１２は、一端が第１信号接続手段５１０６を介して親イヤホン線６と接続し、他端が子イヤホンレシーバー５９と接続する。
【０１３０】
親イヤホンアセンブリは、親イヤホンリアカバー５４に設置された親イヤホンロッド５５を更に有する。子イヤホンアセンブリは、バックル５１６を介して親イヤホンロッド５５に係り止められる。
【０１３１】
一つのイヤホンのみ（親イヤホン）を使用するときに、子イヤホン線５１２は、親イヤホンアセンブリの第１イヤホン線引き込み装置５３に巻き取られ、子イヤホンアセンブリは、バックル５１６を介して親イヤホンロッド５５に係り止められる。このとき、他端が親イヤホンロッドのバックル５１６に係り止められ、外見上、親イヤホンアセンブリと子イヤホンアセンブリとは一体となる（図１を参照する）。
【０１３２】
２チャンネルステレオが必要となりダブルイヤホンを使用するとき、親イヤホンアセンブリの第１イヤホン線引き込み装置５３から子イヤホン線５１２を引き出し、子イヤホンを別の耳に入れることで、２チャンネルステレオのダブルイヤホンで聴くことができる。
【０１３３】
子イヤホンアセンブリの子イヤホンリアカバー５１０には、子イヤホンロッド５１１を設置してもよい。子イヤホンアセンブリを使用しないとき、子イヤホンロッド５１１は親イヤホンアセンブリのバックル５１６に挿入され、親イヤホンアセンブリと子イヤホンアセンブリとは外見上更に一体に見える。
【０１３４】
また、伸縮可能な内蔵式イヤホン構造は、親イヤホンロッド５５に設置され親イヤホン線６と接続する送話器５６を更に有する。親イヤホンアセンブリには、第２イヤホン線引き込み装置を制御するためのスイッチ５１４を更に設置してもよい。
【０１３５】
なお、より一層の使用効果を達成するには、本発明の子イヤホン線５１２は親イヤホン線６より繊細であり、長さも短く、３０〜４０センチメートルであればよい。従って、子イヤホン線５１２を巻き取る第１イヤホン線引き込み装置５３を小さく設計できる。しかし、親イヤホン線６の長さが通常約１メートルかそれ以上であり、線径も子イヤホン線５１２より太いため、親イヤホン線６を巻き取る第２イヤホン線引き込み装置は、第１イヤホン線引き込み装置５３の体積より大きくなる。
【０１３６】
ただし、両者の構造原理は基本的に同一であり、すなわち、第１イヤホン線引き込み装置５３と第２イヤホン線引き込み装置とは、本質的に大きい相違がなく、互いに差し替え可能であり、共にバネ又はマイクロモータで駆動力を提供することができる。
【０１３７】
また、子イヤホン線５１２が２本の信号線であり、親イヤホン線６が４本又はそれ以上の信号線であってもよい。もちろん、本発明では、子イヤホン線５１２と親イヤホン線６の大きさ、長さ及び信号線の数について限定されていない。本発明の範囲は、本発明の好ましい技術案によっていかなる限定も受けない。
【０１３８】
図１８、図１９を参照すると、第１イヤホン線引き込み装置５３は、主軸５１０３に設置されているリール５１０２を有する。リール５１０２にはリング状縁５１１２が設置されている。リング状縁５１１２の内部にトーションバネ５１３が設置されている。トーションバネ５１３は、外端がリング状縁５１１２に固定され、内端が主軸５１０３に固定されている。リール５１０２に巻き取られた子イヤホン線５１２は、第１信号接続手段５１０６を介して親イヤホン線６と接続する。
【０１３９】
第１イヤホン線引き込み装置５３には、リール５１０２の回転を制御するためのブレーキ装置５１０９が更に設置されている。第１イヤホン線引き込み装置５３は、ケース５１０１を更に有する。
【０１４０】
好ましくは、主軸５１０３が中空な円形軸である。親イヤホン線６が円形軸の中を通過して親イヤホンレシーバー５２と接続し、信号線を分岐させて第１信号接続手段５１０６を介して子イヤホン線５１２と接続する。
【０１４１】
図１９を参照すると、図に示すように、第１イヤホン線引き込み装置５３のバネとリール５１０２とは、内外関係に設置されている。本発明のほかの実施例では、バネとリール５１０２との関係について、左右配置（図１８を参照する）又はその他の設置構造を採用してもよく、本発明では限定しない。
【０１４２】
なお、第１イヤホン線引き込み装置５３は、上記の構造のほか、下記の第２イヤホン線引き込み装置の構造を採用することもできる。すなわち、本発明では、第１イヤホン線引き込み装置５３と第２イヤホン線引き込み装置とは、構造が本質的に大きい相違がなく、互いに差し替え可能である。
【０１４３】
本発明の伸縮可能な内蔵式イヤホン構造の別の実施例では、伸縮可能な内蔵式イヤホン構造は更に第２イヤホン線引き込み装置を有する。
図２０は、本発明の第２実施例における第２イヤホン線引き込み装置の断面概略図である。第２イヤホン線引き込み装置は、駆動系１と、駆動ホイール２と、支持ホイール２０及び線巻き付けループ３を有する。
【０１４４】
駆動系１は、マイクロモータ、バネ又はその他の動力を提供可能な駆動装置である。本発明の実施例では、駆動系１がマイクロモータであることは好ましい。
駆動ホイール２は、駆動系１の一方に設けられ、駆動系１によって駆動される。
支持ホイール２０は、駆動系１の他方に設けられる。
【０１４５】
線巻き付けループ３は、駆動ホイール２と支持ホイール２０を周回し親イヤホン線６を巻き付けるためのものである。線巻き付けループ３に巻き付けられた親イヤホン線６は、第２信号接続手段を介して外部信号と接続する。駆動ホイール２は線巻き付けループ３を介して支持ホイール２０を回転させ、親イヤホン線６を線巻き付けループ３に巻き付けて引き込ませる。
【０１４６】
第２イヤホン線引き込み装置は、駆動系１と駆動ホイール２との間に設けられたクラッチ装置８を更に有する。駆動系１は、クラッチ装置８を介して駆動ホイール２を駆動し、親イヤホン線６の引き出しによって駆動ホイール２が自転するときに、駆動系１と駆動ホイール２を分離させる。
【０１４７】
本実施例では、クラッチ装置８の設置により、親イヤホン線６の線引き込み操作を行う際に、駆動系１（例えばマイクロモータ）は稼動し始める。駆動系１は、クラッチ装置８を介して駆動ホイール２を駆動する。駆動ホイール２は、線巻き付けループ３を介して支持ホイール２０を回転させる。
【０１４８】
このようにして、先端が線巻き付けループ３に固定された親イヤホン線６は、線巻き付けループ３に巻き付けられるようになる。親イヤホン線６の引き出し操作を行なう（使用者が親イヤホン線６を外へ引き出す）際に、親イヤホン線６で駆動ホイール２、線巻き付けループ３及び支持ホイール２０を回転させる。このとき、クラッチ装置８によって駆動系１と駆動ホイール２を分離させることにより、線を引き出す際の抵抗力を減少させ、駆動系１（例えばマイクロモータ）に影響を与えることがない。
【０１４９】
また、親イヤホン線６の引き込みが終了し、又は引き込み時の抵抗力が所定の抵抗力を超えたとき、クラッチ装置８は、駆動ホイール２と駆動系１とを互いに空回りさせ、又は、駆動系１と駆動ホイール２を分離させ、例えばマイクロモータである駆動系１を破損から保護するように駆動系１を空転させる。
【０１５０】
図２１に示すように、クラッチ装置８は、円錐台型歯車であることが好ましい。もちろん、クラッチ装置８が円錐型歯車、円柱型歯車或いは他のタイプのものであってもよいことは、当業者に理解されるはずである。本発明はこれについて限定しない。
【０１５１】
駆動ホイール２は、第１円状側片２２と第２円状側片２１とを有する。第１円状側片２２と第２円状側片２１とは、主軸２３で固定され、図２１に示すように、第１円状側片２２の内側面には、主軸２３を取り囲んで円周状の排列となる複数の歯車９が設けられる。マイクロモータは、マイクロモータの主軸に設けられた歯車１８を介して円錐台型歯車（クラッチ装置８）と噛み合う。円錐台型歯車が駆動ホイール２における歯車９と噛み合うことによって、駆動系１は、円錐台型歯車を介して駆動ホイール２を駆動する。
【０１５２】
クラッチ装置８が歯車である場合、マイクロモータの主軸に設けられた歯車及び駆動ホイール２に設けられた歯車９は、クラッチ装置８としての歯車とセットになる。クラッチ装置８が円錐台型歯車である場合、マイクロモータの主軸に設けられた歯車も円錐台型歯車であり、且つ互いにセットとなり噛み合う。
【０１５３】
クラッチ装置８が円錐型歯車である場合、マイクロモータの主軸に設けられた歯車も円錐型歯車である。このように、マイクロモータが稼動するときに、マイクロモータの主軸上の歯車は、クラッチ装置８としての歯車と緊密に噛み合い、クラッチ装置８としての歯車は、さらに駆動ホイール２上の歯車９と緊密に噛み合うことで、駆動ホイール２を駆動して回転させる。
【０１５４】
親イヤホン線６を引き出して駆動ホイール２を自転させる場合、クラッチ装置８としての歯車は、緩くなり駆動ホイール２及びマイクロモータ上の歯車と噛み合わなくなるので、親イヤホン線６が容易に引き出されることができる。また、駆動ホイール２が自転するときにマイクロモータを回転させないため、マイクロモータに悪影響を与えることはない。
【０１５５】
第２イヤホン線引き込み装置は、長楕円状のケース５を更に備える。ケース５の側壁には、開口が設けられており、親イヤホン線６は、開口を通して上記ケース５から伸び出す。
【０１５６】
本発明における駆動系１、駆動ホイール２及び支持ホイール２０の配置により、第２イヤホン線引き込み装置は、長楕円状の外観を有するように形成し、それによって体積を最大限に節約することができ、より長い親イヤホン線６を巻き付けることができる。
【０１５７】
図２２を参照すると、本発明の実施例では、線巻き付けループ３は、ベルトループ又はキャタピラ構造であってよく、プラスチック、金属、半金属などの材料から作製できる。巻き付けられた親イヤホン線６をより固定させるために、線巻き付けループ３には、複数のＵ型線掛け溝４が一定の距離（本発明の実施例では、２〜８ｍｍが好ましい）おきに設けられている。複数のＵ型線掛け溝４を組み合わせ配列することによってリング状の線巻き付け溝が構成される。親イヤホン線６は、引き込まれるときにリング状の線巻き付け溝内に巻き取られる。
【０１５８】
図２３を参照すると、第２信号接続手段は、Ｕ型線掛け溝４の外側に設けられ、親イヤホン線６がイヤホン信号線を介して接続された複数の信号連通弾性片１５と、リング状の導電金属シートからなり、信号線を介して外部端末のマザーボード信号と接続する信号連通トラック１６であって、ケース５の内壁に設けられ、信号連通弾性片１５と接触して連通可能な複数の信号連通トラック１６とを有する。
【０１５９】
親イヤホン線６の先端は、一つのＵ型線掛け溝４に固定され、複数本のイヤホン信号線に分岐して信号連通弾性片１５に接続する。
なお、信号連通弾性片１５はイヤホン線先端の一つのＵ型線掛け溝４に設けられるが、信号連通トラック１６はケース５の内側面を丸一周する必要がある。信号弾性片がＵ型線掛け溝４と共に回転するときに、常に通信状態に維持するために、信号連通トラック１６と常に摩擦しながら摺接する。
【０１６０】
本発明の実施例では、支持ホイール２０が円状物体であるが、本発明の別の実施例では、図２４に示すように、支持ホイール２０が半円周の排列となる複数のボール２５又はローラー２５又はその他のローリング及びスライディング可能な物体である。支持ホイール２０が円状物体である場合と比べ、ボールやローラーを用いたほうが、イヤホン線引き込み装置の体積をより小さくすることができる。
【０１６１】
本実施例では、第２イヤホン線引き込み装置の駆動系１、駆動ホイール２及び支持ホイール２０の構造によれば、親イヤホン線６の巻き付け長さを大きく増加させると共に、イヤホン線引き込み装置の体積を小さくした。体積が小さくされた第２イヤホン線引き込み装置は、様々なタイプの移動端末への装着がよりしやすくなる。
【０１６２】
また、本発明では、駆動系１の主軸の歯車、駆動ホイール２の内側の歯車及び線巻き付けループ３の相互作用により、自動的に減速装置を構成しており、それにより駆動系１、例えばマイクロモータのトルクを大きく増加させると共に、親イヤホン線６の巻き付け長さを大きく増加させている。
【０１６３】
図２５は、本発明の第２実施例の第２イヤホン線引き込み装置の構造分解図である。第２イヤホン線引き込み装置は、モータ１１１と、変速装置と、リール１１５と、第２信号接続手段１１６と、ケースとを有する。第２イヤホン線引き込み装置がほかの端末の内部に設置され、又は第１イヤホン線引き込み装置５３とする場合、ケースは省略可能である。
【０１６４】
モータ１１１は、リール１１５に駆動力を提供し、変速装置を介してリール１１５の回転を駆動する。モータ１１１は、外部電源から電力を受け、外部スイッチによって制御可能である。外部電源と外部スイッチは図示されていない。
本発明の第２イヤホン線引き込み装置の別の実施例において、変速装置は、ウォーム１１２と、第１歯車１１３と、第２歯車１１４を有する。ウォーム１１２は、上記モータ１１１の駆動軸と接続する。第１歯車１１３は、二段歯車であり、そのうちの一段がウォーム１１２と垂直に噛合い、他段が第２歯車１１４と噛合う。第２歯車１１４は、リール１１５を駆動して線の引き込みを行なう。
【０１６５】
ケースは、上ケース１１８とベース１１７を有する。モータ１１１は、ベース１１７の底面に平行に設置される。第１歯車１１３は、歯車軸１１１７を介してベース１１７の底面に垂直に設置される。ベース１１７には、底面に垂直に主軸１１１８が設置される。第２歯車１１４、リール１１５、第２信号接続手段１１６はいずれも主軸１１１８に設置される。このように設置することにより、イヤホン線引き込み装置の体積を最大限に減少できる。
【０１６６】
なお、図２５に示されている二つの歯車は本実施例の説明を便利にするためのものであり、本発明では歯車の個数について限定しない。当業者は、本発明を実施する時に必要に応じて歯車の個数、大きさ及び上記モータ１１１とリール１１５との位置関係を決定できる。例えば、三つ又はそれ以上の歯車を設置できる。歯車の大きさは一定の比例に準じて設定し、それにより変速装置を形成して、モータ１１１によるリール１１５の駆動速度を制御しやすくなる。
【０１６７】
本発明の第２イヤホン線引き込み装置の別の実施例では、モータ１１１を主軸１１１８と平行に設置してもよい。このとき、変速装置は少なくとも一つの歯車を有することでよい。歯車が主軸１１１８に設置されてウォーム１１２と噛合い、モータ１１１でリール１１５の回転を駆動する。勿論、当業者は、本発明を実施する時に必要に応じて歯車の個数、大きさ及び上記モータ１１１とリール１１５との位置関係を決定できる。
【０１６８】
例えば、二つ又はそれ以上の歯車を設置できる。歯車の大きさは一定の比例に準じて設定し、それにより変速装置を形成して、モータ１１１によるリール１１５の駆動速度を制御しやすくなる。該実施例が第１実施例と違うところは、上記モータ１１１が垂直に設置されるため、イヤホン線引き込み装置の体積を大きくする可能性があることである。
【０１６９】
ケースの側壁には開口１１９が設置されている。開口１１９には滑車１１１１を有する。滑車１１１１は、滑車軸１１１２を介してベース１１７に設置される。親イヤホン線６は、滑車１１１１を介してケースから伸び出し、親イヤホン線６とケースとの間の摩擦を減少でき、親イヤホン線６をより一層保護できる。
【０１７０】
リール１１５には線巻き付けバッフルプレート１１１３を更に設置できる。該線巻き付けバッフルプレート１１１３は第２歯車１１４とリール１１５上の親イヤホン線６とを仕切るとともに、親イヤホン線６を上記リール１１５にきちんと巻き付けて、より一層親イヤホン線６を保護する。
【０１７１】
モータ１１１の回転により直接的にリール１１５を回転させて線の引き込みを行う場合、モータ１１１の回転速度が数千〜数万回／分と高いため、このような高い回転速度により、リール１１５が親イヤホン線６を瞬間に回収できるが、早すぎる引き込み速度により、製品と使用者に危害を与えやすい。
【０１７２】
そこで、本発明においては、複数の歯車間の相互伝動により、リール１１５の回転速度を合理的且つ安全な範囲に収めるとともに、モータ１１１のトルクを強める。
【０１７３】
図２６は、第２イヤホン線引き込み装置の第２信号接続手段１１６の構造図である。
第２信号接続手段１１６は、回路基板２２０と複数本のリング状導電薄片２３０を有する。複数本のリング状導電薄片２３０が親イヤホン線６の一端に接続し、バネピン１１１０とピンリード線（図示せず）を介して外部の信号線（第２イヤホン線引き込み装置をほかの端末の内部に設置した場合に該端末内部の信号線）と接続する。
【０１７４】
上記構造により、リール１１５の回転で親イヤホン線６が巻き付けられ又は巻き出されると、親イヤホン線６の一端は、リング状導電薄片２３０とバネピン１１１０を介して常に外部信号と連通し、信号の連通性と有効性を保持する。もちろん、本発明の第２信号接続手段１１６は、無線接続の第２信号接続手段１１６であってもよい。
【０１７５】
本発明の第２イヤホン線引き込み装置の別の実施例において、イヤホン線引き込み装置はクラッチ装置を更に有する。クラッチ装置は、主軸に設置される圧縮バネ１１１５を有する。圧縮バネ１１１５は、一端がプッシュリング１１１６を介してベースの底面に接触し、他端はワッシャー１１１４を介して第２歯車１１４と接触する。
当業者が理解すべきこととして、本実施例の圧縮バネ１１１５はクラッチ装置の実現方法の一つに過ぎず、クラッチ装置はその他の方式でも実現可能である。
【０１７６】
モータ１１１は、ウォーム１１２、第１歯車１１３、第２歯車１１４を介してリール１１５を駆動して線を引き込み、引き込みが終了すると、使用者がモータ１１１の電源をすぐにオフにしないことがよくあるため、モータ１１１が引き続き稼働することになる。このとき、モータ１１１の電圧が上昇し、モータ１１１のトルクが大きくなり、クラッチ装置によって、圧縮バネ１１１５と接触する第２歯車１１４を空転させ、リール１１５が回転しないので、モータ１１１と親イヤホン線６などの部品を効果的に保護する。
【０１７７】
また、本発明は、移動端末を更に開示している。上記移動端末は、端末本体のほか、上記各実施例で記載されている伸縮可能な内蔵式イヤホン構造も含む。上記端末本体は、ＭＰ３、ＭＰ４、ＭＰ５、パソコン、携帯ゲーム機、携帯電話などあらゆるイヤホンを使用可能な電子機器である。
【０１７８】
本発明による技術案は、親イヤホンと子イヤホンを含むダブルイヤホン構造を設置し、親イヤホンに設置される線引き込み装置を通して子イヤホンの子イヤホン線５１２を巻き取ることにより、親イヤホン線（シングル線）の回収に寄与するだけではなく、親イヤホンから子イヤホンを分離でき、２チャンネルの効果を達成する。
【０１７９】
２チャンネルステレオが必要でないとき、親イヤホンのみを使用すればよい。２チャンネルステレオが必要のとき、親イヤホンから子イヤホン及び子イヤホン線５１２を引き出し、親と子の二つのイヤホンを左右の耳にそれぞれ付けて音声を受信し、２チャンネルステレオ感をもたらす。
【０１８０】
以上は、本発明の好ましい実施方式に過ぎない。なお、当該分野の一般技術者にとって、本発明の原理を背離しない前提で、若干の改進や修飾が考えられる。ただし、これらの改進や修飾も本発明の保護範囲に属するものである。
【符号の説明】
【０１８１】
３１      ハウジング
３１１    底板
３１２    側壁
３１３    上縁
３２      イヤホン
３２１    イヤホンアセンブリ
３２１１  親イヤホンアセンブリ
３２１２  子イヤホンアセンブリ
３２１３  イヤホンロッド
３２１４  線引き込みスイッチ
３２２    イヤホン線
３３      接続装置
３４      イヤホン線引き込み装置
３５      線巻き付け装置
３５１    ローラ
３５２    ベルトループ
３５３    変換継ぎ手
３５４    送話器
３６      電池
３７      充電ソケット
３８      変換プラグ
３８１    導線
３８２    プラグ
３８３    プラグ
【図１】
0005367050.tif 000002
【図２】
0005367050.tif 000003
【図３】
0005367050.tif 000004
【図４】
0005367050.tif 000005
【図５】
0005367050.tif 000006
【図６】
0005367050.tif 000007
【図７】
0005367050.tif 000008
【図８】
0005367050.tif 000009
【図９】
0005367050.tif 000010
【図１０】
0005367050.tif 000011
【図１１】
0005367050.tif 000012
【図１４】
0005367050.tif 000013
【図１５】
0005367050.tif 000014
【図１６】
0005367050.tif 000015
【図１７】
0005367050.tif 000016
【図１８】
0005367050.tif 000017
【図１９】
0005367050.tif 000018
【図２０】
0005367050.tif 000019
【図２１】
0005367050.tif 000020
【図２２】
0005367050.tif 000021
【図２４】
0005367050.tif 000022
【図２５】
0005367050.tif 000023
【図２６】
0005367050.tif 000024
【図１２】
0005367050.tif 000025
【図１３】
0005367050.tif 000026
【図２３】
0005367050.tif 000027